(57)【特許請求の範囲】
【請求項１】
外周面にカバーケースを取付けるための凹部が周条に形成される取付け部を備える水栓に、分岐栓を取付けるための分岐栓の取付け部材であって、
前記水栓における取付け部の凹部に嵌合可能な凸部を有し、前記水栓の凹部に前記凸部を嵌合させることによって前記水栓の取付け部に固定される固定部と、
前記固定部により、前記水栓の取付け部に固定されるとともに、前記分岐栓の取付け部に接合可能な接合手段を有する接合部とを具備し、
該固定部は、円筒状の部材の一部を軸心方向に沿って一端部から他端部に渡って切欠かれた側面視略Ｃ字状の形状、または、略円筒状の部材を軸心方向に沿って複数に切断した側面視略半円状に形成し、
前記分岐栓の取付け部に、前記接合部が接合された際に、前記固定部は、前記分岐栓の取付け部の内側に位置するように構成し、
該分岐栓の取付け部により、該固定部が周方向に広がるように変形し、該凸部が凹部から脱落するのを阻止することを特徴とする分岐栓の取付け部材。
【発明の詳細な説明】
【技術分野】
【０００１】
本発明は、分岐栓の取付け部材、詳しくは、その外周面にカバーケースを取付けるための凹部が、周条に形成される取付け部を備える既存の水栓に分岐栓を取付けるための部材、および、当該分岐栓の取付け部材を具備する分岐栓に関する。
【背景技術】
【０００２】
従来、既設の水栓に取付けられて湯や水を所定の装置に分岐させる分岐栓であって、湯や水の流路が形成される分岐栓本体と、内部に分岐栓本体を嵌装する外装部材と、所定の装置に接続されてこれに湯や水を分岐させる接続部材と、を具備する分岐栓は公知となっている。例えば特許文献１に示す如くである。
【０００３】
また、このような分岐栓の取付け部には、一般に、水栓における水栓本体の取付け部に形成されているネジと螺合可能なネジが形成されている。そして、このような分岐栓は、水栓が具備するハンドルレバー、カバーケース、およびカートリッジを水栓本体から取り外し、水栓本体の取付け部に形成されているネジと、分岐栓が具備する外装部材の取付け部分に形成されているネジとを螺合させてこれらを接合させることによって、水栓に取付けられる（図２６参照）。なお、分岐栓が取付けられていない状態の水栓では、通常、水栓本体の取付け部に形成されているネジと、カバーケースに形成されたネジとを螺合させてこれらを接合させることによって、水栓本体にカバーケースが取付けられている。
【先行技術文献】
【特許文献】
【０００４】
【特許文献１】特開平１０−１８４９５１号公報
【発明の概要】
【発明が解決しようとする課題】
【０００５】
しかしながら、水栓の中には、このようなネジの螺合によってこれに分岐栓を取付けることができないものがある。例えば、図２７に示す水栓３は、水栓本体３０、ハンドルレバー３８、カバーケース３６、カートリッジ３５、カバーケース取付け部材３７等を具備する。水栓本体３０における取付け部３１は、その外周面に周条に形成される凹部３４を有する（図２参照）。カバーケース３６は、その開口部近傍の内周面に周条に形成される凹部３６ａを有する（図３参照）。カバーケース取付け部材３７は、半径方向外側に突出して形成されてカバーケース３６の凹部に嵌合可能な第一凸部３７ａ、および、半径方向内側に突出して形成されて水栓本体３０における取付け部３１の凹部３４に嵌合可能な第二凸部３７ｂを有する（図４参照）。
【０００６】
また、当該水栓３は、その水栓本体３０の取付け部にカバーケース３６のネジと螺合させるためのネジが形成されておらず、互いのネジを螺合させることによって水栓本体３０の取付け部３１にカバーケース３６が取付けられるものではない。つまり、当該水栓３では、水栓本体３０の取付け部３１側から水栓本体３０内にカートリッジ３５を配置し、カバーケース３６の凹部３６ａにカバーケース取付け部材３７の第一凸部３７ａを嵌合させ、水栓本体３０における取付け部３１の凹部３４にカバーケース取付け部材３７の第二凸部３７ｂを嵌合させて、カバーケース３６が水栓本体３０の取付け部３１に取付けられている。
【０００７】
そして、当該水栓３には、その水栓本体３０の取付け部３１にカバーケース３６のネジと螺合させるためのネジが形成されていないため、その水栓本体３０の取付け部３１のネジと分岐栓に取付け部のネジとを螺合させることによって水栓本体３０の取付け部３１に分岐栓を取付けることができない。また、当該水栓３に分岐栓を取付けるために、水栓本体３０の取付け部３１にネジを形成する加工を施すことや、水栓３の取付け部３１と分岐栓の取付け部とを溶接する加工を施すことが考えられるが、このような加工には、技術的に困難であり、費用が増大するという問題がある。
【０００８】
本発明は以上の如き状況に鑑みてなされたものであり、カバーケースを取付けるための凹部を有する取付け部を備える水栓に、分岐栓を容易に取付けることができる分岐栓の取付け部材を提供することを課題とする。
【課題を解決するための手段】
【０００９】
本発明の解決しようとする課題は以上の如くであり、次にこの課題を解決するための手段を説明する。
【００１０】
請求項１においては、外周面にカバーケースを取付けるための凹部が周条に形成される取付け部を備える水栓に、分岐栓を取付けるための分岐栓の取付け部材であって、前記水栓における取付け部の凹部に嵌合可能な凸部を有し、前記水栓の凹部に前記凸部を嵌合させることによって前記水栓の取付け部に固定される固定部と、前記固定部により、前記水栓の取付け部に固定されるとともに、前記分岐栓の取付け部に接合可能な接合手段を有する接合部とを具備し、該固定部は、円筒状の部材の一部を軸心方向に沿って一端部から他端部に渡って切欠かれた側面視略Ｃ字状の形状、または、略円筒状の部材を軸心方向に沿って複数に切断した側面視略半円状に形成し、前記分岐栓の取付け部に，前記接合部が接合された際に、前記固定部は、前記分岐栓の取付け部の内側に位置するように構成し、該分岐栓の取付け部により、該固定部が周方向に広がるように変形し、該凸部が凹部から脱落するのを阻止するものである。
【発明の効果】
【００１１】
本発明に係る分岐栓の取付け部材によれば、その外周面にカバーケースを取付けるための凹部が周条に形成される取付け部を備える水栓に、容易に分岐栓を取付けることができる。
【図面の簡単な説明】
【００１２】
【図１】本発明に係る分岐栓の取付け部材と分岐栓と水栓との各構成部材とを示した正面図。
【図２】（ａ）水栓の取付け部を示した正面図、（ｂ）同じく正面断面図。
【図３】（ａ）水栓のカバーケースを示した正面図、（ｂ）同じく正面断面図。
【図４】（ａ）水栓のカバーケース取付け部材を示した正面図、（ｂ）同じく側面図。
【図５】（ａ）本発明の第一実施形態に係る分岐栓の取付け部材における固定部を示した正面図、（ｂ）同じく側面図、（ｃ）同じく正面断面図。
【図６】（ａ）本発明の第一実施形態に係る分岐栓の取付け部材における接合部を示した正面図、（ｂ）同じく側面図、（ｃ）同じく正面断面図。
【図７】分岐栓を示した正面図。
【図８】分岐栓を示した側面図。
【図９】分岐栓を示した正面断面図。
【図１０】分岐栓を示したＡ−Ａ断面図。
【図１１】（ａ）本発明の第一実施形態に係る分岐栓の取付け部材における固定部を水栓に取付ける状態を示した正面断面図、（ｂ）本発明の第一実施形態に係る分岐栓の取付け部材における固定部を水栓に取付けた状態を示した正面断面図。
【図１２】（ａ）本発明の第一実施形態に係る分岐栓の取付け部材における接合部を水栓に取付ける状態を示した正面断面図、（ｂ）本発明の第一実施形態に係る分岐栓の取付け部材における接合部を水栓に取付けた状態を示した正面断面図。
【図１３】（ａ）本発明の第一実施形態に係る分岐栓の取付け部材を用いて分岐栓を水栓に取付ける状態を示した正面断面図、（ｂ）本発明の第一実施形態に係る分岐栓の取付け部材を用いて分岐栓を水栓に取付けた状態を示した正面断面図。
【図１４】（ａ）分岐栓にカバーケースを取付ける状態を示した正面図、（ｂ）分岐栓にカバーケースを取付けた状態を示した正面図。
【図１５】（ａ）本発明の別実施例に係る分岐栓の取付け部材における固定部を示した正面図、（ｂ）同じく側面図、（ｃ）正面断面図。
【図１６】（ａ）本発明の別実施例に係る分岐栓の取付け部材における接合部を示した正面図、（ｂ）同じく側面図、（ｃ）正面断面図。
【図１７】（ａ）本発明の第二実施形態に係る分岐栓の取付け部材を示した正面図、（ｂ）同じく側面図、（ｃ）同じく正面断面図。
【図１８】（ａ）本発明の第二実施形態に係る分岐栓の取付け部材を水栓に取付ける状態を示した正面断面図、（ｂ）本発明の第二実施形態に係る分岐栓の取付け部材を水栓に取付けた状態を示した正面断面図。
【図１９】（ａ）本発明の第二実施形態に係る分岐栓の取付け部材を用いて分岐栓を水栓に取付ける状態を示した正面断面図、（ｂ）本発明の第二実施形態に係る分岐栓の取付け部材を用いて分岐栓を水栓に取付けた状態を示した正面断面図。
【図２０】（ａ）本発明の第三実施形態に係る分岐栓の取付け部材を示した正面図、（ｂ）同じく側面図、（ｃ）同じく正面断面図。
【図２１】分岐栓を示した正面断面図。
【図２２】本発明の第三実施形態に係る分岐栓の取付け部材を水栓に取付ける状態を示した側面図。
【図２３】本発明の第三実施形態に係る分岐栓の取付け部材を水栓に取付ける状態を示した正面断面図。
【図２４】（ａ）本発明の第三実施形態に係る分岐栓の取付け部材を水栓に取付けた状態を示した側面図、（ｂ）本発明の第三実施形態に係る分岐栓の取付け部材を水栓に取付ける状態を示した正面断面図。
【図２５】（ａ）本発明の第三実施形態に係る分岐栓の取付け部材を用いて分岐栓を水栓に取付ける状態を示した正面断面図、（ｂ）本発明の第三実施形態に係る分岐栓の取付け部材を用いて分岐栓を水栓に取付けた状態を示した正面断面図。
【図２６】分岐栓と水栓との各構成部材とを示した正面図。
【図２７】水栓の各構成部材を示した正面図。
【発明を実施するための形態】
【００１３】
次に、図１から図１６を用いて、本発明に係る分岐栓の取付け部材の第一実施形態について説明する。
【００１４】
分岐栓の取付け部材（以下、「取付け部材」と称する）１Ａは、図１に示す如く、既存の水栓３に分岐栓４Ａを取付けるための部材であり、図１に示す如く、固定部１０と、接合部２０とを具備する。
【００１５】
ここで、取付け部材１Ａを用いて分岐栓４Ａが取付けられる既存の水栓３は、所謂、混合水栓であり、前記のように、水栓本体３０、ハンドルレバー３８、カバーケース３６、カートリッジ３５、カバーケース取付け部材３７等を具備する。
【００１６】
水栓本体３０は、その上部に湯や水を外部に流出するためのスパウトを備える。また、水栓本体３０は、前記ハンドルレバー３８、カバーケース３６、カートリッジ３５、カバーケース取付け部材３７等を、水栓本体３０に取付けるための取付け部３１を備える。水栓本体３０の取付け部３１は、水栓本体３０から側方に突出して構成される。
【００１７】
水栓３は、ハンドルレバー３８、カバーケース３６、カートリッジ３５、カバーケース取付け部材３７等が、水栓本体３０の取付け部３１を介して水栓本体３０に取付けられることによって、水栓本体３０が備えるボイラー等と接続される湯側流路管および／または水道管と接続される水側流路管から、水および／または湯が、カートリッジ３５に流入するように構成される。また、水栓３は、カートリッジ３５に流入した水および／または湯からなる混合液が、水栓本体３０が備える水および／または湯が流れる混合流路管に流入するように構成されている。なお、カートリッジ３５は、これが水栓本体３０の取付け部３１内に配置された状態で、取付け部３１の開口部近傍の内周面に周状に形成される位置決め溝に、カートリッジ３５を水栓本体３０の取付け部３１に固定するための固定ピンを嵌め込むことにより水栓本体３０の取付け部３１に固定される。
【００１８】
水栓本体３０の取付け部３１は、水栓本体３０から略水平方向に突出する略円柱形状の部分であり、その先端部３２の外周面の径が基端部３３の外周面の径に比べて小さく形成されて構成されている。水栓本体３０における取付け部３１の先端部３２は、その外周面に周条に形成される凹部３４を有する（図２参照）。水栓本体３０における取付け部３１の凹部３４は、カバーケース取付け部材３７を用いてカバーケース３６を水栓本体３０の取付け部３１に取付けるためのものである。カバーケース３６は、略半球形状のカップ状に形成され、その開口部近傍における内周面から半径方向内側へ周状に突出する２箇所の凸部の間に成形される周条の凹部３６ａを有する（図３参照）。カバーケース取付け部材３７は、略円筒状に形成され、その外周面から半径方向外側に突出して形成されてカバーケース３６の凹部３６ａに嵌合可能な第一凸部３７ａ、および、その内周面から半径方向内側に突出して形成されて水栓本体３０の取付け部３１の凹部３４に嵌合可能な第二凸部３７ｂを有する（図４参照）。そして、水栓３が具備するハンドルレバー３８、カバーケース３６、カートリッジ３５、および、カバーケース取付け部材３７を水栓本体３０から取外した状態の水栓３に、取付け部材１Ａを用いて分岐栓４Ａが取付けられる。
【００１９】
取付け部材１Ａの固定部１０は、水栓３における水栓本体３０の取付け部３１に固定されるものである。本実施形態における固定部１０は、図５に示す如く、固定部材１０Ａによって構成される。
【００２０】
固定部材１０Ａは、円筒状の部材における側面の一部がその軸心方向に沿うように一端部から他端部に渡って切欠かれて、側面視略Ｃ字状に形成される。固定部材１０Ａは、可撓性を有する樹脂素材からなり、その切欠かれた開口部分を広げることや狭めること等により周方向に弾性変形可能に構成される。
【００２１】
固定部材１０Ａは、その内周面に凸部１１を有する。固定部材１０Ａの凸部１１は、固定部材１０Ａにおける軸心方向中途部の内周面から半径方向内側に突出して周条に形成される。また、固定部材１０Ａの凸部１１は、水栓本体３０の取付け部３１の凹部３４に嵌合可能に構成される。そして固定部材１０Ａは、接合部材２０Ａが配置された水栓本体３０の凹部３４に固定部材１０Ａの凸部１１を嵌合させることによって水栓本体３０の取付け部３１に固定可能に構成される。
【００２２】
固定部材１０Ａは、これが前記のように水栓本体３０の取付け部３１に固定された際に、固定部材１０Ａの外周面の径が水栓本体３０における取付け部３１の基端部３３の外周面の径より小さくなるように構成されている（図１１参照）。固定部材１０Ａは、その軸心方向の長さが、水栓本体３０の取付け部３１の先端部３２における軸心方向の長さより短くなるように構成されている。そして、固定部材１０Ａは、これが前記のように水栓３の取付け部３１に固定された際に、水栓本体３０における取付け部３１の基端部３３と、固定部材１０Ａにおける水栓３の基端部３３側の端部との間に、所定の間隔が形成されるように構成されている。
【００２３】
取付け部材１Ａの接合部２０は、水栓本体３０の取付け部３１に固定されるとともに、分岐栓４Ａの取付け部５３Ａに接合可能な部材である。本実施形態における接合部２０は、図６に示す如く、接合部材２０Ａによって構成される。接合部材２０Ａは、金属素材からなる円筒状の部材であり、その内周面に係合部２２および接合手段２１を有する。つまり、取付け部材１Ａの接合部２０は、接合手段２１を有している。
【００２４】
接合部材２０Ａの係合部２２は、取付け部材１Ａにて分岐栓４Ａを水栓３に取付ける際、および取付けた際に、固定部材１０Ａに係合されるものである。接合部材２０Ａの係合部２２は、接合部材２０Ａの内周面から半径方向内側に突出して周条に形成され、接合部材２０Ａにおける軸心方向中途部であって一方の端部寄りに形成される。接合部材２０Ａは、これを用いて分岐栓４Ａを水栓３に取付ける際には、係合部２２から端部までの軸心方向の長さが短い方の部分（以下、短部側２３と称する）を水栓３側に、係合部２２から端部までの軸心方向の長さが長い方の部分（以下、長部側２４と称する）を分岐栓４Ａ側に向けて配置される（図１２参照）。
【００２５】
接合部材２０Ａは、その係合部２２の内径が、水栓本体３０における取付け部３１の先端部３２の外周面の径と略同一に形成されて、水栓本体３０における取付け部３１の先端部３２を接合部材２０Ａの係合部２２内に嵌装可能なように構成される（図１２参照）。接合部材２０Ａは、その係合部２２の軸心方向の厚みが、固定部材１０Ａが水栓３の取付け部３１に固定された際に形成される所定の間隔と略同一に形成されて、当該所定の間隔に係合部２２を配置可能に構成される。
【００２６】
接合部材２０Ａは、その短部側２３の内周面の径が、水栓本体３０における取付け部３１の基端部３３の外周面の径と略同一に形成されて、水栓本体３０における取付け部３１の基端部３３を接合部材２０Ａにおける短部側２３に嵌装可能なように構成される。接合部材２０Ａは、その長部側２４の内周面の径が、分岐栓４Ａの取付け部５３Ａの外周面の径と略同一に形成されて、接合部材２０Ａの長部側２４内において、分岐栓４Ａの取付け部５３Ａと接合可能なように構成されている。接合部材２０Ａの長部側２４の内周面には、分岐栓４Ａの取付け部５３Ａと接合可能なように雌ネジが形成されている。つまり、その内周面の径が分岐栓４Ａの取付け部５３Ａの外周面の径と略同一に形成されるとともに、その内周面に雌ネジが形成される接合部材２０Ａの長部側２４の部分が、接合手段２１として構成されている。
【００２７】
次に、取付け部材１Ａを用いて水栓３に取付けられる分岐栓４Ａについて説明する。分岐栓４Ａは、所謂、混合水栓用の分岐栓４Ａであって、水栓３に取付けられて湯や水を所定の装置に分岐させる分岐栓である。分岐栓４Ａは、図７から図１０に示す如く、湯や水の流路が形成される分岐栓本体４０Ａと、内部に分岐栓本体４０Ａを嵌装する外装部材５０と、所定の装置に接続される接続部材６０と、を具備する。
【００２８】
分岐栓４Ａの分岐栓本体４０Ａは、金属素材からなる部材であって、軸心方向を左右方向とする略円柱形状に形成されている。分岐栓本体４０Ａは、図９に示す正面視において、右方が大径に、且つ左方が小径に形成されている。分岐栓本体４０Ａの左方の先端部外周面には、位置決め溝が形成されており、当該位置決め溝に水漏れ防止用の環状のパッキンが設けられている。分岐栓本体４０Ａには、湯側流路４１と、水側流路４２と、混合流路４３と、第一横孔４４と、第二横孔４５と、が形成されている。
【００２９】
湯側流路４１は、水栓本体３０の湯側流路管に接続され、当該湯側流路管から流入される湯を流通させ、カートリッジ３５に流出させる流路である。湯側流路４１は、分岐栓本体４０Ａにおいてその軸心方向に貫通され、図８、図１０に示す平面視においてその開口が上右方に配置されるように形成されている。水側流路４２は、水栓本体３０の水側流路管に接続され、当該水側流路管から流入される水を流通させ、カートリッジ３５に流出させる流路である。水側流路４２は、分岐栓本体４０Ａにおいてその軸心方向（湯側流路４１と平行）に貫通され、図８、図１０に示す平面視においてその開口が上左方に配置されるように形成されている。湯側流路４１、および、水側流路４２、のそれぞれの水栓３側の開口（分岐栓本体４０Ａの湯側流路管、水側流路管、および混合流路管との接続部分）には、水漏れ防止用の環状のパッキンが設けられている。
【００３０】
混合流路４３は、カートリッジ３５から流入する湯水混合液を流通させ、水栓本体３０の混合流路管に流出させる流路である。混合流路４３は、分岐栓本体４０Ａにおいてその軸心方向（湯側流路４１および水側流路４２と平行）に貫通され、図８、図１０に示す平面視においてその開口が下方に配置されるように形成されている。
【００３１】
第一横孔４４は、水側流路４２に連通され、水側流路４２を流通する水を水側流路４２から分岐させる流路である。第一横孔４４は、分岐栓本体４０Ａの大径部分において、その軸心方向に対して略直角に、図９に示す分岐栓本体４０Ａの上方の外周面から水側流路４２まで形成されている。つまり、第一横孔４４は、水側流路４２と連通し、且つ分岐栓本体４０Ａの上方の外周面で開口するように形成されている。また、第一横孔４４は、その分岐栓本体４０Ａの外周面近傍の径が、水側流路４２側の径に比べて大きい径となるように構成されている。第一横孔４４における大径部分の内周面には、雌ネジが形成されている。
【００３２】
第二横孔４５は、混合流路４３に連通され、前記接続された所定の装置から戻された液体（例えば、浄化処理が施された浄水）を、混合流路４３に流入させる流路である。第二横孔４５は、分岐栓本体４０Ａの大径部分において、その軸心方向に対して略直角に、図９に示す分岐栓本体４０Ａの下方の外周面から混合流路４３まで形成されている。つまり、第二横孔４５は、混合流路４３と連通し、且つ分岐栓本体４０Ａの下方の外周面で開口するように形成されている。また、第二横孔４５は、その分岐栓本体４０Ａの外周面近傍の径が、水側流路４２側の径に比べて大きい径となるように構成されている。第二横孔４５における大径部分の内周面には、雌ネジが形成されている。
【００３３】
外装部材５０は、金属素材からなる部材であって、図９に示す如く、軸心方向を左右方向とする円筒形状に形成されている。図９に示す正面視において、外装部材５０は、その左方部の内周面の径が、水栓本体３０の取付け部３１に固定された固定部材１０Ａの外径と略同一に形成されて、当該水栓本体３０の取付け部３１の先端部３２に固定された固定部材１０Ａおよび水栓本体３０の取付け部３１の先端部３２を外装部材５０の左方部に嵌装可能なように構成されている（図１３参照）。当該外装部材５０の左方部は、分岐栓４Ａの取付け部５３Ａとして構成される。外装部材５０は、その軸心方向中途部の内周面の径が、その左方の内周面の径より小さく形成され、且つ分岐栓本体４０Ａの大径部分を嵌装可能なように当該大径部分の径と略同一に形成されている。そして、外装部材５０の軸心方向中途部には、分岐栓本体４０Ａの大径部分が嵌装されている。外装部材５０は、その右方部の内周面の径がその左方部および軸心方向中途部の内周面の径に比べて小さい径に形成されて、カートリッジ３５を外装部材５０の右方部に嵌装可能なように構成されている。
【００３４】
外装部材５０は、その左方部（分岐栓４Ａの取付け部５３Ａ）の外周面の径が、接合部材２０Ａの長部側２４の内周面の径と略同一に形成されて、接合部材２０Ａにおける長部側２４内において当該接合部材２０Ａと接合可能なように構成されている（図１３参照）。外装部材５０の左方部（分岐栓４Ａの取付け部５３Ａ）の外周面には、接合部材２０Ａと接合可能なように雄ネジが形成されている。
【００３５】
外装部材５０は、図７、図９に示す正面視においてその右方部先端側が、水栓本体３０の取付け部３１の先端部３２と同様の形状に形成されて、これにカバーケース取付け部材３７を用いてカバーケース３６を取付けることができるように構成されている。即ち、外装部材５０は、その右方部先端側の外周面の径が他と比べて小さい径に形成されて構成されている。外装部材５０は、その右方部の先端側の外周面に、周条に形成される凹部５４を有する。当該外装部材５０の凹部５４は、カバーケース取付け部材３７の第二凸部３７ｂと嵌合可能に構成される。
【００３６】
外装部材５０の軸心方向中途部には、これに嵌装された分岐栓本体４０Ａの第一横孔４４の位置と一致するように、図９に示す外装部材５０の上側において、外装部材５０の軸心方向に対して略直角に、内周面から外周面に向けて貫通する第一貫通孔５１が形成されている。外装部材５０の軸心方向中途部には、これに嵌装された分岐栓本体４０Ａの第二横孔４５の位置と一致するように、図９に示す外装部材５０の上側において、外装部材５０の軸心方向に対して略直角に、内周面から外周面に向けて貫通する第一貫通孔５２が形成されている。外装部材５０における第一貫通孔５１および第一貫通孔５２は、その内径が、分岐栓本体４０Ａにおける第一横孔４４および第二横孔４５の大径部分の内径と略同一に形成されて構成されている。
【００３７】
分岐栓４Ａには２つの接続部材６０・６０が備えられている。接続部材６０は、金属素材からなる部材であり、挿入部６１と接続部６２とを有する。接続部材６０の挿入部６１は円柱形状に形成され、その接続部６２は六角柱形状に形成されている。そして、接続部材６０は、その挿入部６１と接続部６２との互いの軸心を一致させるように挿入部６１の一側面に接続部６２が一体的に設けられて構成されている。また、接続部材６０には、挿入部６１と接続部６２のそれぞれの軸心を貫通する貫通孔６３が形成されている。
【００３８】
接続部材６０における挿入部６１は、その外径が、これを分岐栓本体４０Ａの第一横孔４４または第二横孔４５の大径部分に挿入して接合可能なように、分岐栓本体４０Ａの第一横孔４４または第二横孔４５の大径部分における内周面の径と略同一に形成されて構成されている。接続部材６０における挿入部６１の外周面には、雄ネジが形成されている。また、接続部材６０における接続部６２の外周面には、雄ネジが形成されている。つまり、接続部材６０は、軸心方向に貫通する貫通孔６３が形成され、分岐栓本体４０Ａの第一横孔４４または第二横孔４５に螺挿可能な、六角ボルト状の部材にて構成されている。
【００３９】
そして、一方の接続部材６０は、その挿入部６１が外装部材５０の第一貫通孔５１に挿入され、これの雄ネジと分岐栓本体４０Ａの第一横孔４４の雌ネジとを螺合させることによって分岐栓本体４０Ａに接合される。このように接続部材６０が、分岐栓本体４０Ａに接合されることによって、接続部材６０の貫通孔６３と分岐栓本体４０Ａの水側流路４２とが連通することとなる。また、当該一方の接続部材６０の接続部６２には、所定の装置にホースを介して接続される分岐コック５が設けられる。そして、このようにして接続部材６０に分岐コック５が設けられることによって、分岐栓４Ａは、当該所定の装置に湯や水を分岐させるように構成される。ここで所定の装置とは、浄水器や食洗機等の装置を示す。
【００４０】
他方の接続部材６０は、その挿入部６１が外装部材５０の第一貫通孔５２に挿入され、これの雄ネジと分岐栓本体４０Ａの第二横孔４５の雌ネジとを螺合させることによって分岐栓本体４０Ａに接合される。このように接続部材６０が、分岐栓本体４０Ａに接合されることによって、接続部材６０の貫通孔６３と分岐栓本体４０Ａの混合流路４３とが連通することとなる。そして、当該他方の接続部材６０の接続部６２には、これの貫通孔６３から湯や水が漏れることを防止する蓋部材６４が設けられている。なお、当該他方の接続部材６０の接続部６２には、浄水器で浄化された浄水をこれに流入させるために、ホースを介して浄水器を接続しても良いものとする。
【００４１】
なお、分岐栓４Ａは、混合水栓用の分岐栓であることに特に限定するものではなく、単水栓用の分岐栓であってもよいものとする。分岐栓４Ａは、その第一横孔４４が湯側流路４１に連通される構成としてもよいものとする。分岐栓４Ａは、その第二横孔４５が備えられる構成に限定するものではなく、即ち、所定の装置から戻された浄水等を混合流路４３に流入させる流路を備えない構成としてもよいものとする。分岐栓４Ａは、接続部材６０・６０が２つ備えられる構成とすることに限定するものではなく、接続部材６０は１つ備えられる構成としてもよいものとする。
【００４２】
取付け部材１Ａを用いて分岐栓４Ａを水栓３に取付ける方法について説明する。まず、図１１に示す如く、水栓本体３０の取付け部３１から前記ハンドルレバー３８、カバーケース３６、カートリッジ３５、カバーケース取付け部材３７を取外す。そして、当該水栓本体３０の取付け部３１の先端部３２に、取付け部材１Ａの接合部材２０Ａを配置する。このとき、接合部材２０Ａを、短部側２３を水栓３側に向けた状態で、図１１における正面視で右方から水栓本体３０の取付け部３１の先端部３２に嵌装することにより、接合部材２０Ａを水栓本体３０の取付け部３１の先端部３２に配置する。
【００４３】
次に、図１２に示す如く、接合部材２０Ａが配置された水栓本体３０の取付け部３１の先端部３２に、固定部材１０Ａを配置してこれを固定する。このとき、図１２における平面視で右方から、固定部材１０Ａの切欠かれた開口部分を広げながら、固定部材１０Ａを、水栓本体３０の取付け部３１の先端部３２に嵌装していく。そして、当該水栓本体３０の取付け部３１の凹部３４に、固定部材１０Ａの凸部１１を嵌合させることによって、固定部材１０Ａを水栓３の取付け部３１の先端部３２に固定する。
【００４４】
このように水栓本体３０の取付け部３１の先端部３２に固定部材１０Ａが固定されることによって、接合部材２０Ａの係合部２２が前記所定の間隔に配置されることとなる。即ち、当該接合部材２０Ａの係合部２２は、図１２（ｂ）における正面視で、水栓本体３における取付け部３１の基端部３３よりも右方、且つ、固定部材１０Ａよりも左方に配置されることとなる。このため、水栓本体３０の取付け部３１の先端部３２に固定部材１０Ａが固定された際には、接合部材２０Ａの係合部２２は、固定部材１０Ａよりも水栓３の水栓本体３０側に配置されて、固定部材１０Ａに係合されることとなる。このようにして、接合部材２０Ａは固定部材１０Ａにより水栓本体３０の取付け部３１に固定されている。これにより、接合部材２０Ａが水栓本体３０の取付け部３１から脱落することを防止されている。
【００４５】
さらに、図１３に示す如く、取付け部材１Ａ（接合部材２０Ａおよび固定部材１０Ａ）が配置された水栓本体３０の取付け部３１に、分岐栓４Ａを配置する。このとき、図１３における正面視で右方から、分岐栓本体４０Ａの湯側流路４１が水栓本体３０の湯側流路管に、分岐栓本体４０Ａの水側流路４２が水栓本体３０の水側流路管に、および、分岐栓本体４０Ａの混合流路４３が水栓本体３０の混合流路管に、それぞれ接続されるように、分岐栓４Ａを水栓本体３０の取付け部３１に配置する。そして、接合部材２０Ａの雌ネジと分岐栓４Ａの取付け部５３Ａの雄ネジとを螺合させることによって、分岐栓４Ａの取付け部５３Ａに接合部材２０Ａを接合させる。このように水栓本体３０の取付け部３１の先端部３２に配置された接合部材２０Ａに分岐栓４Ａの取付け部５３Ａを接合することによって、取付け部材１Ａ（固定部材１０Ａおよび接合部材２０Ａ）を用いて分岐栓４Ａが水栓３に取付けられることとなる。
【００４６】
以上のように、取付け部材１Ａは、固定部１０と接合部２０とを具備する。固定部１０は、水栓本体３０における取付け部３１の凹部３４に嵌合可能な凸部１１を有し、水栓本体３０における取付け部３１の凹部３４に前記凸部１１を嵌合させることによって水栓本体３０の取付け部３１に固定される。接合部２０は、固定部１０により水栓本体３０の取付け部３１に固定に固定されるとともに、分岐栓４Ａの取付け部５３Ａに接合可能な接合手段２１を有する。このため、取付け部材１Ａによれば、カバーケース３６を取付けるための凹部３４を有する取付け部３１を備える水栓３であっても、当該水栓３の取付け部３１にネジを形成する加工を施すことや、水栓３の取付け部３１と分岐栓４Ａの取付け部５３Ａとを溶接する加工を水栓３や分岐栓４Ａに加工を施すことなく、これに分岐栓４Ａを取付けることができる。したがって、取付け部材１Ａによれば、カバーケース３６を取付けるための凹部３４を有する取付け部３１を備える水栓３に、容易に分岐栓４Ａを取付けることができる。
【００４７】
また、取付け部材１Ａの固定部１０は、水栓本体３０における取付け部３１の凹部３４に嵌合可能な凸部１１を有する内周面を備える固定部材１０Ａで構成される。取付け部材１Ａの接合部２０は、固定部材１０Ａよりも前記水栓３における水栓本体３０側に配置されて前記固定部材１０Ａに係合される係合部２２を内周面に備える接合部材２０Ａで構成される。したがって、取付け部材１Ａによれば、カバーケース３６を取付けるための凹部３４を有する取付け部３１を備える水栓３に、より容易に分岐栓４Ａを取付けることができる。また、取付け部材１Ａは固定部材１０Ａと接合部材２０Ａとで構成されるため、これによれば簡易な構造で本発明に係る取付け部材を実現することができる。
【００４８】
外装部材５０は、その左方部の内周面の径が水栓本体３０の取付け部３１に固定された固定部材１０Ａの外径と略同一に形成されて、当該水栓本体３０の取付け部３１の先端部３２に固定された固定部材１０Ａおよび水栓本体３０の取付け部３１の先端部３２を外装部材５０の左方部に嵌装可能なように構成されている。このため、分岐栓４Ａの取付け部５３Ａに接合部材２０Ａが接合された際には、固定部材１０Ａは、分岐栓４Ａの取付け部５３Ａの内側に配置されることとなる。このように、取付け部材１Ａの固定部１０は、分岐栓４Ａの取付け部５３Ａに接合部２０が接合された際に、分岐栓４Ａの取付け部５３Ａの内側に配置可能に構成される。したがって、分岐栓４Ａの取付け部５３Ａに接合部材２０Ａが接合された際には、固定部材１０Ａが周方向に広がるように変形してその凸部１１が水栓本体３０の取付け部３１の凹部３４から脱落することが、分岐栓４Ａの外装部材５０の内壁によって防止されることとなる。よって、取付け部材１Ａによれば、確実に分岐栓４Ａを水栓３に取付けた状態を保持することができる。
【００４９】
また、分岐栓４Ａの外装部材５０は、図７、図９に示す正面視においてその右方部先端側が水栓本体３０の取付け部３１の先端部３２と同様の形状に形成されて、これにカバーケース取付け部材３７を用いてカバーケース３６を取付けることができるように構成されている。即ち、分岐栓４Ａの外装部材５０は、その右方部の先端側の外周面の径が他と比べて小さい径に形成されて構成され、その右方部の先端側の外周面に、カバーケース取付け部材３７の第二凸部３７ｂと嵌合可能な周条の凹部５４を有する。このため、図１４に示す如く、水栓本体３０の取付け部３１から取外したカートリッジ３５を分岐栓４Ａの外装部材５０内に配置して、当該外装部材５０に、水栓本体３０の取付け部３１から取外したカバーケース取付け部材３７を取付けることができる。したがって、分岐栓４Ａによれば、分岐栓４Ａやカバーケース３６に加工を施すことなく、水栓本体３０の取付け部３１から取外されたカバーケース３６（カバーケース取付け部材３７）を分岐栓４Ａの外装部材５０に容易に取付けることができる。なお、カートリッジ３５は、これが分岐栓４Ａの外装部材５０内に配置された状態で、取付け部３１の開口部近傍の位置決め溝に嵌め込まれていたカートリッジ３５を水栓本体３０の取付け部３１に固定するための固定ピンを、当該外装部材５０の開口部近傍の内周面に周状に形成される位置決め溝に嵌めこむことにより分岐栓４Ａに固定される。
【００５０】
取付け部材１Ａを用いて分岐栓４Ａが取付けられる既存の水栓３は、混合水栓であることに特に限定するものではなく、単水栓であっても良いものとする。固定部材１０Ａの凸部１１は、周条に形成されて構成されることに特に限定するものではなく、水栓本体３０の取付け部３１の凹部３４に嵌合可能な構成されていればよいものとする。即ち、固定部材１０Ａの凸部１１は、固定部材１０Ａの内周面から部分的に半径方向内側に突出して形成されるものでもよい。例えば固定部材１０Ａの凸部１１は、図１５に示す如く、固定部材１０Ａの内周面から半径方向内側に突出形成される、水栓本体３０の取付け部３１の凹部３４に嵌合可能なポツ状の凸を１８０度位相をずらして配置して構成されてもよい。
【００５１】
接合部材２０Ａの係合部２２は、周条に形成されて構成されることに特に限定するものではなく、接合部材２０Ａ（取付け部材１Ａ）にて分岐栓４Ａを水栓３に取付ける際、および取付けた際に、固定部材１０Ａに係合される構成であればよいものとする。即ち、接合部材２０Ａの係合部２２は、接合部材２０Ａの内周面から部分的に半径方向内側に突出して形成されるものでもよい。例えば接合部材２０Ａは、図１６に示す如く、固定部材１０Ａの内周面から半径方向内側に突出するポツ状の凸を１８０度位相をずらして配置して構成されてもよい。
【００５２】
また、接合手段２１は、接合部２０にネジが形成されることによって分岐栓４Ａの取付け部５３Ａと接合部２０とが接合可能に構成されることに特に限定するものではなく、分岐栓４Ａの取付け部５３Ａを接合部２０内に圧入可能となるように接合部２０を構成してこれらが接合可能に構成されてもよく、分岐栓４Ａの取付け部５３Ａと接合部２０とを接着剤によって接着させてこれらが接合可能に構成されてもよいものとする。
【００５３】
次に、図１７から図１９を用いて、本発明に係る取付け部材の第二実施形態について説明する。なお、なお、第二実施形態に係る取付け部材１Ｂは、第一実施形態に係る取付け部材Ａと同様の構成を有する部分があるため、本実施形態に係る取付け部材１Ｂの説明は、取付け部材１Ａと同様の構成の部分については適宜省略し、取付け部材１Ａの構成と異なる部分を中心に説明する。
【００５４】
取付け部材１Ｂは、図１７に示す如く、固定部１０と接合部２０とを一つの部材に備えて構成される。取付け部材１Ｂは、取付け部材１Ａにおける固定部材１０Ａの一方の端部の面と、接合部材２０Ａの係合部２２における長部側２４の側の面とを接合させてこれらを一体的に構成し、固定部材１０Ａの側面の切欠きに位置に合わせて接合部材２０Ａの側面も切欠かれた、側面視略Ｃ字状に形状に形成されている。
【００５５】
固定部１０は、円筒状に形成され、その内周面に凸部１１を有する。固定部１０の凸部１１は、固定部１０における軸心方向中途部の内周面から半径方向内側に突出して周条に形成される。また、固定部１０の凸部１１は、水栓本体３０の取付け部３１の凹部３４に嵌合可能に構成されている（図１８参照）。そして固定部１０は、水栓本体３０の凹部３４に固定部１０の凸部１１を嵌合させることによって水栓本体３０の取付け部３１に固定可能に構成される。
【００５６】
固定部１０は、これが前記のように水栓本体３０の取付け部３１に固定された際に、固定部１０の外周面の径が水栓本体３０における取付け部３１の基端部３３の外周面の径より小さくなるように構成されている（図１８（ｂ）参照）。固定部１０は、その軸心方向の長さが、水栓本体３０の取付け部３１の先端部３２における軸心方向の長さより短くなるように構成されている。
【００５７】
接合部２０は、円筒状に形成さ、その内周面に係合部２２を有する。接合部２０の係合部２２は、接合部２０の内周面から半径方向内側に突出して周条に形成され、接合部２０における軸心方向中途部であって一方の端部寄りに形成される。
【００５８】
接合部２０は、その係合部２２の内径が、水栓本体３０における取付け部３１の先端部３２の外周面の径と略同一に形成されて、水栓本体３０における取付け部３１の先端部３２を接合部２０の係合部２２内に嵌装可能なように構成される（図１８参照）。
【００５９】
接合部２０は、その短部側２３の内周面の径が、水栓本体３０における取付け部３１の基端部３３の外周面の径と略同一に形成されて、水栓本体３０における取付け部３１の基端部３３を接合部２０における短部側２３に嵌装可能なように構成される。接合部２０は、その長部側２４の内周面の径が、分岐栓４Ａの取付け部５３Ａの外周面の径と略同一に形成されて、接合部２０の長部側２４内において、分岐栓４Ａの取付け部５３Ａと接合可能なように構成されている。接合部２０の長部側２４の内周面には、分岐栓４Ａの取付け部５３Ａと接合可能なように雌ネジが形成されている。
【００６０】
そして、取付け部材１Ｂは、固定部１０の一方の端部の面と、接合部２０の係合部２２における長部側２４の側の面とを一致させて、これらが一体的に構成されるように形成されている。つまり、取付け部材１Ｂでは、これを用いて分岐栓４Ａを水栓３に取付ける際および取付けた際に、その接合部の係合部２２が固定部１０に係合されるものではない。また、取付け部材１Ｂは、水栓本体３０の凹部３４に固定部１０の凸部１１を嵌合させることによって、水栓本体３０の取付け部３１に固定可能に構成されている。即ち、接合部２０は固定部１０により水栓本体３０の取付け部３１に固定されている。
【００６１】
さらに、取付け部材１Ｂは、固定部１０および接合部２０の側面の一部が軸心方向に沿うように一端部から他端部に渡って切欠かれて、側面視略Ｃ字状に形成される。取付け部材１Ｂは、可撓性を有する樹脂素材からなり、その切欠かれた開口部分を広げることや狭めること等により周方向に弾性変形可能に構成される。
【００６２】
取付け部材１Ｂを用いて、分岐栓４Ａを水栓３に取付ける方法について説明する。まず、図１８に示す如く、水栓本体３０の取付け部３１から前記ハンドルレバー３８、カバーケース３６、カートリッジ３５、カバーケース取付け部材３７を取外す。そして、当該水栓本体３０の取付け部３１の先端部３２に、取付け部材１Ｂを配置して固定する。このとき、接合部２０を、短部側２３を水栓３側に向けた状態で、図１５における正面視で右方から水栓本体３０の取付け部３１の先端部３２に嵌装していく。そして、当該水栓本体３０の取付け部３１の凹部３４に、固定部１０の凸部１１を嵌合させることによって、固定部１０を水栓３の取付け部３１の先端部３２に固定する。
【００６３】
さらに、図１９に示す如く、取付け部材１Ｂが配置された水栓本体３０の取付け部３１に、分岐栓４Ａを配置する。このとき、図１６における正面視で右方から、分岐栓本体４０Ａの湯側流路４１が水栓本体３０の湯側流路管に、分岐栓本体４０Ａの水側流路４２が水栓本体３０の水側流路管に、および、分岐栓本体４０Ａの混合流路４３が水栓本体３０の混合流路管に、それぞれ接続されるように、分岐栓４Ａを水栓本体３０の取付け部３１内に配置する。そして、接合部２０の雌ネジと分岐栓４Ａの取付け部５３Ａの雄ネジとを螺合させることによって、分岐栓４Ａの取付け部５３Ａに接合部２０を接合させる。このように水栓本体３０の取付け部３１の先端部３２に配置された取付け部材１Ｂの接合部２０に分岐栓４Ａの取付け部５３Ａを接合することによって、取付け部材１Ｂを用いて分岐栓４Ａが水栓３に取付けられることとなる。
【００６４】
以上のように、取付け部材１Ｂは、固定部１０と接合部２０とを具備する。固定部１０は、水栓本体３０における取付け部３１の凹部３４に嵌合可能な凸部１１を有し、水栓本体３０における取付け部３１の凹部３４に前記凸部１１を嵌合させることによって前記水栓本体３０の取付け部３１に固定される。接合部２０は、固定部１０により水栓本体３０の取付け部３１に固定に固定されるとともに、分岐栓４Ａの取付け部５３Ａに接合可能な接合手段２１を有する。このため、取付け部材１Ｂによれば、カバーケース３６を取付けるための凹部３４を有する取付け部３１を備える水栓３であっても、当該水栓３の取付け部３１にネジを形成する加工を施すことや、水栓３の取付け部３１と分岐栓４Ａの取付け部５３Ａとを溶接する加工を水栓３や分岐栓４Ａに加工を施すことなく、これに分岐栓４Ａを取付けることができる。したがって、取付け部材１Ｂによれば、カバーケース３６を取付けるための凹部３４を有する取付け部３１を備える水栓３に、容易に分岐栓４Ａを取付けることができる。
【００６５】
また、取付け部材１Ｂは、固定部１０と接合部２０とを一つの部材に備えて構成される。このため、取付け部材１Ｂによれば、固定部１０と接合部２０とを同時に水栓本体３０の取付け部３１に配置することができ、水栓３に分岐栓４Ａを取付ける際の作業性を向上することがでる。
【００６６】
外装部材５０は、その左方部の内周面の径が水栓本体３０の取付け部３１に固定された固定部１０の外径と略同一に形成されて、当該水栓本体３０の取付け部３１の先端部３２に固定された固定部１０および水栓本体３０の取付け部３１の先端部３２を外装部材５０の左方部に嵌装可能なように構成されている。このため、分岐栓４Ａの取付け部５３Ａに接合部２０が接合された際には、固定部１０は、分岐栓４Ａの取付け部５３Ａの内側に配置されることとなる。このように、取付け部材１Ｂの固定部１０は、分岐栓４Ａの取付け部５３Ａに接合部２０が接合された際に、分岐栓４Ａの取付け部５３Ａの内側に配置可能に構成される。したがって、分岐栓４Ａの取付け部５３Ａに接合部２０が接合された際には、分岐栓４Ａの外装部材５０の内壁によって、固定部１０が周方向に広がって変形してその凸部１１が水栓本体３０の取付け部３１の凹部３４から脱落することが防止されることとなる。よって、取付け部材１Ｂによれば、確実に分岐栓４Ａを水栓３に取付けた状態を保持することができる。
【００６７】
次に、図２０から図２５を用いて、本発明に係る取付け部材の第三実施形態について説明する。なお、第三実施形態に係る取付け部材１Ｃは、第一実施形態に係る取付け部材Ａおよび第二実施形態に係る取付け部材Ｂと同様の構成を有する部分があるため、本実施形態に係る取付け部材１Ｃの説明は、取付け部材１Ａおよび取付け部材１Ｂと同様の構成の部分については適宜省略し、取付け部材１Ａおよび取付け部材１Ｂの構成と異なる部分を中心に説明する。
【００６８】
取付け部材１Ｃは、水栓３に分岐栓４Ｃを取付けるための部材であり、図２０に示す如く、第一取付け部材１Ｃａと第二取付け部材１Ｃｂとで構成される。第一取付け部材１Ｃａと第二取付け部材１Ｃｂとは、略円筒形状の部材をその軸心に沿って切断して互いに対称となるような側面視略Ｃ字状（略半円状）に形成される。取付け部材１Ｃでは、第一取付け部材１Ｃａと第二取付け部材１Ｃｂとを、それぞれのＣ字状の開放側が互いに向き合うように配置して１つの略円筒形状を構成することにより、固定部１０および接合部２０が構成される。なお、便宜上、取付け部材１Ｃの固定部１０と接合部２０とを説明するにあたって、取付け部材１Ｃは、第一取付け部材１Ｃａと第二取付け部材１Ｃｂとを向き合わせた１つの略円筒形状の部材であるものとして説明する。
【００６９】
取付け部材１Ｃの内周面の径は、水栓本体３０における取付け部３１の先端部３２の外周面の径と略同一に形成される。取付け部材１Ｃの固定部１０は、取付け部材１Ｃの内周面に凸部１１を形成することによって構成される。当該凸部１１は、取付け部材１Ｃにおける軸心方向中途部の内周面から半径方向内側に突出して周条に形成される。また、当該凸部１１は、水栓本体３０の取付け部３１の凹部３４に嵌合可能に構成されている。そして、取付け部材１Ｃは、水栓本体３０の凹部３４に固定部１０の凸部１１を嵌合させることによって水栓本体３０の取付け部３１に固定可能に構成される。即ち、接合部２０は固定部１０により水栓本体３０の取付け部３１に固定可能に構成されている。
【００７０】
取付け部材１Ｃの接合部２０は、取付け部材１Ｃの外周面の径を、分岐栓４Ｃの取付け部５３Ｃの内周面の径と略同一に形成するとともに、当該取付け部材１Ｃの外周面と、分岐栓４Ｃの取付け部５３Ｃの内周面とを接合可能とすることで構成される。取付け部材１Ｃの外周面には、分岐栓４Ｃの取付け部５３Ｃと接合可能なように雄ネジが形成されている。この取付け部材１Ｃの外周面に形成される雄ネジが、取付け部材１Ｃにおける接合部２０の接合手段２１として構成される。
【００７１】
分岐栓４Ｃは、分岐栓本体４０Ｃを備える。分岐栓４Ｃの分岐栓本体４０Ｃは、図２１に示す如く、右側に配置される大径部分と、該大径部分の左方に連設される小径部分とを備えており、その大径部分における小径部分側の端部から半径方向外側に向けて突出する周状の外突部４６を備える。
【００７２】
分岐栓４Ｃの外装部材５０は、図２１に示す如く、外装本体５０ａと固定ナット５０ｂとから構成される。
【００７３】
固定ナット５０ｂは、分岐栓４Ａにおける外装部材５０の左方部の役割を果すものである。即ち固定ナット５０ｂは、分岐栓４Ｃの取付け部５３Ｃとして構成される。固定ナット５０ｂ（分岐栓４Ｃの取付け部５３Ｃ）は、その内周面の径が、取付け部材１Ｃの外周面の径と略同一に形成されて、固定ナット５０ｂ内において取付け部材１Ｃと接合可能なように構成されている。固定ナット５０ｂ（分岐栓４Ｃの取付け部５３Ｃ）の内周面には、取付け部材１Ｃと接合可能なように雌ネジが形成されている。
【００７４】
また、固定ナット５０ｂは、図２１に示す右方の端部から半径方向内側に向けて突出する周状の内突部５６を備える。固定ナット５０ｂは、その内突部５６の内径が分岐栓本体４０Ｃの大径部分における外周面の径と略同一に形成されて、分岐栓本体４０Ｃの大径部分がこれに嵌装可能なように構成されている。そして、固定ナット５０ｂには、固定ナット５０ｂの内突部５６と分岐栓本体４０Ｃの外突部４６とが係合するように、図２１に示す左方から分岐栓本体４０Ｃの大径部分が嵌装されている。
【００７５】
外装本体５０ａは、分岐栓４Ａにおける外装部材５０の右方部および軸心方向中途部の役割を果すものである。即ち、外装本体５０ａは、カートリッジ３５および分岐栓本体４０Ｃの大径部分を嵌装可能なように構成されている。外装本体５０ａには、外装本体５０ａにおける図２１に示す左方の端面と分岐栓本体４０Ｃの外突部４６との間に固定ナットの内突部５６が配置されるように、図２１に示す左方から分岐栓本体４０Ｃの大径部分が嵌装されている。そして、分岐栓４Ｃでは、このように分岐栓本体４０Ｃの大径部分が外装本体５０ａに嵌装された状態で、固定ナット５０ｂが周方向に回転可能に構成されている。
【００７６】
取付け部材１Ｃを用いて分岐栓４Ｃを水栓３に取付ける方法について説明する。
まず、図２２および図２３に示す如く、水栓本体３０の取付け部３１から前記ハンドルレバー３８、カバーケース３６、カートリッジ３５、カバーケース取付け部材３７を取外す。そして、当該水栓本体３０の取付け部３１の先端部３２に、取付け部材１Ｃを配置する。このとき、図２２から図２４に示す如く、取付け部材１Ｃの第一取付け部材１Ｃａと第二取付け部材１ＣｂとでそれぞれのＣ字状の開放側を互いに向き合させて水栓本体３０の取付け部３１の先端部３２を挟むようにして、その凸部１１を水栓本体３０の凹部３４に嵌合させる。このように、当該水栓本体３０の取付け部３１の凹部３４に、凸部１１を嵌合させることによって、取付け部材１Ｃを水栓３の取付け部３１の先端部３２に固定する。
【００７７】
さらに、図２５に示す如く、取付け部材１Ｃが配置された水栓本体３０の取付け部３１に、分岐栓４Ｃを配置する。このとき、分岐栓４Ｃの固定ナット５０ｂを周方向に回転させて、取付け部材１Ｃの接合部２０の雄ネジと当該固定ナット５０ｂ（分岐栓４Ｃの取付け部５３Ｃ）の雌ネジとを螺合させることによって、分岐栓４Ｃの取付け部５３Ｃに取付け部材１Ｃの接合部２０を接合させる。このようにして、取付け部材１Ｃ（固定部１０および接合部２０）を用いて分岐栓４Ｃが水栓３に取付けられる。
【００７８】
以上のように、取付け部材１Ｃは、固定部１０と接合部２０とを具備する。固定部１０は、水栓本体３０における取付け部３１の凹部３４に嵌合可能な凸部１１を有し、水栓本体３０における取付け部３１の凹部３４に前記凸部１１を嵌合させることによって前記水栓本体３０の取付け部３１に固定される。接合部２０は、分岐栓４Ｃの取付け部５３Ｃに接合可能な接合手段２１を有する。このため、取付け部材１Ｃによれば、カバーケース３６を取付けるための凹部３４を有する取付け部３１を備える水栓３であっても、当該水栓３の取付け部３１にネジを形成する加工を施すことや、水栓３の取付け部３１と分岐栓４Ｃの取付け部５３Ｃとを溶接する加工を水栓３や分岐栓４Ｃに加工を施すことなく、これに分岐栓４Ｃを取付けることができる。したがって、取付け部材１Ｃによれば、カバーケース３６を取付けるための凹部３４を有する取付け部３１を備える水栓３に、容易に分岐栓４Ｃを取付けることができる。
【００７９】
また、取付け部材１Ｃを構成する第一取付け部材１Ｃａと第二取付け部材１Ｃｂとは、略円柱形状の部材をその軸心に沿って切断して互いに対称となるような側面視略Ｃ字状に形成される。このため、取付け部材１Ｃによれば、より簡易な構造で本発明に係る取付け部材を実現することができる。
【００８０】
分岐栓４Ｃの固定ナット５０ｂ（分岐栓４Ｃの取付け部５３Ｃ）は、その内周面の径が、取付け部材１Ｃの外周面の径と略同一に形成されて、固定ナット５０ｂ内において取付け部材１Ｃと接合可能なように構成されている。このため、固定ナット５０ｂ（分岐栓４Ｃの取付け部５３Ｃ）に取付け部材１Ｃ（接合部２０）が接合された際には、取付け部材１Ｃ（固定部１０）は、分岐栓４Ｃの取付け部５３Ｃの内側に配置されることとなる。このように、取付け部材１Ｃの固定部１０は、分岐栓４Ｃの取付け部５３Ｃに接合部２０が接合された際に、分岐栓４Ｃの取付け部５３Ｃの内側に配置可能に構成される。したがって、分岐栓４Ｃの取付け部５３Ｃに取付け部材１Ｃ（接合部２０）が接合された際には、分岐栓４Ｃの外装部材５０（固定ナット５０ｂ）の内壁によって、固定部１０が周方向に広がって変形してその凸部１１が水栓本体３０の取付け部３１の凹部３４から脱落することが防止されることとなる。よって、取付け部材１Ｃによれば、確実に分岐栓４Ｃを水栓３に取付けた状態を保持することができる。
【符号の説明】
【００８１】
１Ａ・１Ｂ・１Ｃ  取付け部材
３  水栓
４Ａ・４Ｃ  分岐栓
１０  固定部
１１  凸部
２０  接合部
２１  接合手段
３０  水栓本体
３１  取付け部
３４  凹部
３６  カバーケース
３７  カバーケース取付け部材
【図１】
0005502425.tif 000002
【図２】
0005502425.tif 000003
【図３】
0005502425.tif 000004
【図４】
0005502425.tif 000005
【図５】
0005502425.tif 000006
【図６】
0005502425.tif 000007
【図７】
0005502425.tif 000008
【図８】
0005502425.tif 000009
【図９】
0005502425.tif 000010
【図１０】
0005502425.tif 000011
【図１１】
0005502425.tif 000012
【図１２】
0005502425.tif 000013
【図１３】
0005502425.tif 000014
【図１４】
0005502425.tif 000015
【図１５】
0005502425.tif 000016
【図１６】
0005502425.tif 000017
【図１７】
0005502425.tif 000018
【図１８】
0005502425.tif 000019
【図１９】
0005502425.tif 000020
【図２０】
0005502425.tif 000021
【図２１】
0005502425.tif 000022
【図２２】
0005502425.tif 000023
【図２３】
0005502425.tif 000024
【図２４】
0005502425.tif 000025
【図２５】
0005502425.tif 000026
【図２６】
0005502425.tif 000027
【図２７】
0005502425.tif 000028